(57)【要約】【課題】汎用デバイスを用いて簡便に視機能の異常の有無を判別することができる視機能検査システム及び視機能検査アプリケーションソフトを提供すること。【解決手段】視機能の異常の有無を検出する視機能検査システムにおいて、画面に視機能の異常を検出するための検査動画を表示させるアプリケーションソフトと、表示画面を備え、アプリケーションソフトがダウンロードされた汎用デバイスと、汎用デバイスが装着され、汎用デバイスの表示画面に表示される検査動画を被検者眼に対して呈示するヘッドマウント装置と、を有する。【選択図】図１
2020195692.tif 000002
【特許請求の範囲】
【請求項１】
視機能の異常の有無を検出する視機能検査システムにおいて、
画面に視機能の異常を検出するための検査動画を表示させるアプリケーションソフトと、
表示画面を備え、前記アプリケーションソフトがダウンロードされた汎用デバイスと、
前記汎用デバイスが装着され、前記汎用デバイスの表示画面に表示される前記検査動画を被検者眼に対して呈示するヘッドマウント装置と、を有する
ことを特徴とする視機能検査システム。
【請求項２】
請求項１に記載する視機能検査システムにおいて、
前記アプリケーションソフトは、前記汎用デバイスの画面を２分割し、その２分割した画面の一方のみに前記検査動画を表示させるとともに、前記検査動画を表示させる画面を所定時間間隔で交互に切り替える
ことを特徴とする視機能検査システム。
【請求項３】
請求項１又は請求項２に記載する視機能検査システムにおいて、
前記検査動画は、被検者眼の視野異常を検出するためのランダムノイズの連続動画である
ことを特徴とする視機能検査システム。
【請求項４】
請求項１から請求項３に記載するいずれか１つの視機能検査システムにおいて、
前記アプリケーションソフトは、前記検査動画の中心に固視標を表示させる
ことを特徴とする視機能検査システム。
【請求項５】
請求項１から請求項４に記載するいずれか１つの視機能検査システムにおいて、
前記汎用デバイスは、スマートフォンであり、
前記スマートフォンの通信機能を用いて、別のデバイスによる遠隔操作にて検査可能である
ことを特徴とする視機能検査システム。
【請求項６】
視機能の異常の有無を検出する視機能検査を汎用デバイスに実行させる視機能検査アプリケーションソフトであって、
視機能の異常を検出するための検査動画を生成するステップと、
前記検査動画を表示する画面を２分割するステップと、
２分割した画面の一方のみに前記検査動画を表示させるとともに、前記検査動画を表示させる画面を所定時間間隔で交互に切り替えるステップと、
を汎用デバイスに実行させることを特徴とする視機能検査アプリケーションソフト。
【発明の詳細な説明】
【技術分野】
【０００１】
本開示は、視機能の異常の有無を判別する視機能検査システム及び視機能検査アプリケーションソフトに関するものである。
【背景技術】
【０００２】
左右眼の一方または両眼に視機能の異常（例えば、緑内障の発症に伴って生じる暗点や感度低下による視野欠損など）が発生しても、正常である他方の眼からの視覚情報や異常部位周辺の視覚情報により脳内で補完（充填）されてしまう。そのため、視機能の異常があることを自覚し難く、例えば、緑内障を発症している患者のうち９割程度が発症したことを自覚していないとする疫学研究結果も報告されている。そして、視機能の異常（例えば、視野欠損など）を自覚したときには、眼疾患の症状がかなり進行しており、視野が大きく欠損等してしまっているという事態を招いてしまっている。
【０００３】
そこで、このような事態になることを回避すべく、視機能の異常を検出ための検査装置として、例えば、ハンフリー視野計が知られている。ところが、ハンフリー視野計等の専用装置は、高価であるので、より安価な装置構成が検討されている。一例として、特許文献１には、タブレット型のコンピュータを利用することが提案されている。
【先行技術文献】
【特許文献】
【０００４】
【特許文献１】米国特許第９１４９１８５号
【発明の概要】
【発明が解決しようとする課題】
【０００５】
しかしながら、特許文献１に記載の検査装置も、専用の光学系を備えているため、装置構造及び取り扱い方が簡単ではなく、被検者が手軽に検査を自主的に行うことはできなかった。そのため、眼疾患の症状が進行する前に、汎用品にて簡便に視機能の異常を検査できるようにして、眼疾病の発症を早期に発見し眼科での受診を促進させられるようになることが望まれている。
【０００６】
そこで、本開示は、上記した問題点を解決するために、汎用デバイスを用いて簡便に視機能の異常の有無を判別することができる視機能検査システム及び視機能検査アプリケーションソフトを提供することを目的とする。
【課題を解決するための手段】
【０００７】
上記課題を解決するためになされた本開示の一形態は、
視機能の異常の有無を検出する視機能検査システムにおいて、
画面に視機能の異常を検出するための検査動画を表示させるアプリケーションソフトと、
表示画面を備え、前記アプリケーションソフトがダウンロードされた汎用デバイスと、
前記汎用デバイスが装着され、前記汎用デバイスの表示画面に表示される前記検査動画を被検者眼に対して呈示するヘッドマウント装置と、を有することを特徴とする。
【０００８】
また、上記課題を解決するためになされた本開示の別形態は、
視機能の異常の有無を検出する視機能検査を汎用デバイスに実行させる視機能検査アプリケーションソフトであって、
視機能の異常を検出するための検査動画を生成するステップと、
前記検査動画を表示する画面を２分割するステップと、
２分割した画面の一方のみに前記検査動画を表示させるとともに、前記検査動画を表示させる画面を所定時間間隔で交互に切り替えるステップと、
を汎用デバイスに実行させることを特徴とする。
【発明の効果】
【０００９】
本開示の視機能検査システム及び視機能検査アプリケーションソフトによれば、汎用デバイスを用いて簡便に視機能の異常の有無を判別することができる。
【図面の簡単な説明】
【００１０】
【図１】本実施形態の視機能検査システムの概略構成を示す図である。
【図２】本実施形態におけるスマートフォンの画面表示の一例を示す図である。
【図３】右眼の検査時におけるスマートフォンの画面表示の一例を示す図である。
【図４】左眼の検査時におけるスマートフォンの画面表示の一例を示す図である。
【図５】右眼の検査時におけるヘッドマウント装置で被検者から見える画面の一例を示す図である。
【図６】左眼の検査時におけるヘッドマウント装置で被検者から見える画面の一例を示す図である。
【図７】ノートパソコンの画面上にスマートフォンの画面を表示したとき（遠隔操作時）における表示例を示す図である。
【図８】本実施形態の視機能検査システムを用いて視機能検査を行う手順を示すフローチャートである。
【発明を実施するための形態】
【００１１】
以下、本開示における典型的な実施形態について、図面に基づき詳細に説明する。本実施形態では、検査アプリケーションソフト（以下、「検査アプリ」という）がダウンロード可能な汎用デバイスとしてスマートフォンを利用した視機能検査システムを例示する。
【００１２】
＜検査システムの概略構成＞
本実施形態における視機能検査システム１は、図１に示すように、スマートフォン１０とヘッドマウント装置２０等を有している。これらスマートフォン１０とヘッドマウント装置２０は、市販品（汎用品）であり広く普及しているものである。
【００１３】
スマートフォン１０は、画面１１に視機能の異常を検出するための検査動画Ｐ（図３、図４参照）を表示させる検査アプリがダウンロードされている。なお、検査アプリは、アプリケーションマーケット等からダウンロードされてスマートフォン１０にインストールされる。そして、スマートフォン１０で検査アプリを起動させることにより、スマートフォン１０の画面に検査動画Ｐが表示されて、視機能の異常の有無を検査が実行されるようになっている。このスマートフォン１０は、図２に示すように、横向き（横長画面）にして使用される。
【００１４】
そして、スマートフォン１０にダウンロードされた検査アプリを起動すると、スマートフォン１０の画面１１に初期画面が表示される。この初期画面には、例えば、図２に示すように、設定タブ１２と、検査開始タブ１４とが表示される。
【００１５】
設定タブ１２は、検査モードや各検査モードにおける視標呈示条件の設定等に利用される。検査開始タブ１４は、各種の設定が完了した後、視機能検査を開始させるためのものである。
【００１６】
この検査開始タブ１４がクリックされると、視機能検査が始まる。つまり、視機能検査が開始されると、検査アプリにより、画面１１が左画面１１Ｌと右画面１１Ｒとに２分割され、その２分割された左右画面１１Ｌ，１１Ｒの一方のみに検査動画Ｐが表示され（他方の画面には背景のみが表示される）、検査動画Ｐの表示画面が所定時間間隔で左右の画面１１Ｌ，１１Ｒで交互に切り替えられる。
【００１７】
具体的には、右眼を検査する場合には、図３に示すように、右画面１１Ｒに検査動画Ｐが十数秒表示され、左画面１１Ｌには背景のみが表示される。一方、左眼を検査する場合には、図４に示すように、左画面１１Ｌに検査動画Ｐが十数秒表示され、右画面１１Ｒには背景のみが表示される。
【００１８】
ここで、検査アプリにより生成して左画面１１Ｌ又は右画面１１Ｒに表示する検査動画Ｐは、例えば、被検者眼の視野異常を検出するためのランダムドットノイズの連続動画である。そして、被検者が、このランダムドットノイズの連続動画を凝視したとき、視機能に異常がない場合には、ランダムなノイズの動き（チラチラ感）を感じるが、視機能に異常がある場合には、異常がある領域ではランダムなノイズの動き（チラつき感）を感じることなく違和感を感じる（例えば、部分的に静止画に見える、ノイズ画像の一部が抜け落ちる、又はゆがんで見える等）。そのため、このようなランダムドットノイズの連続動画を検査動画Ｐとして使用することにより、被検者は視機能の異常の有無を自覚的に判別することができる。特に、失明に繋がる緑内障の発症に伴って生じる暗点や感度低下による視野欠損の発生を自覚することができるため、緑内障の発症を早期に発見することができる。
【００１９】
このような検査動画Ｐには、固視標Ｍが含まれている。つまり、検査動画Ｐが表示される左画面１１Ｌ又は右画面１１Ｒの中心に固視標Ｍが表示される。この固視標Ｍを被検者が凝視することにより、検査時に被検眼の視線がぶれる（周辺画像に対して視線を動かす）ことなく視線を固定することができ、精度良く検査を行うことができる。
【００２０】
そして、本実施形態の視機能検査システム１では、上記のような検査アプリがダウンロードされたスマートフォン１０が、ヘッドマウント装置２０に組み込まれて構成されている。このヘッドマウント装置２０は、左右独立して交互に所定時間間隔で検査動画Ｐを呈示する。このとき、検査動画Ｐは、被検者の左眼と右眼とのそれぞれに対して、必要な視野角（画角）の範囲にわたって呈示される。例えば、４０〜５０°の範囲にわたって呈示されてもよい。なお、視野角とは、被検者眼が正面を見る際の基準軸を中心にして被検者が見られる範囲を示す角度である。このようなヘッドマウント装置２０を被検者が装着することにより、被検者の左眼と右眼とに独立して任意に検査動画Ｐが設定間隔で呈示される。被検者の左眼と右眼とに交互に呈示されてもよい。これにより、被検者は左眼と右眼とを独立して検査することができる。
【００２１】
また、ヘッドマウント装置２０は、スマートフォン１０の画面１１に表示される検査動画Ｐを被検者眼に対して呈示するためにレンズ等の機構を有する。ヘッドマウント装置２０は、左眼開口部２１Ｌと右眼開口部２１Ｒとを備えており、各開口部２１Ｌ，２１Ｒにそれぞれレンズが設けられている。これにより、左眼開口部２１Ｌを介して左眼用画像が見え、右眼開口部２１Ｒを介して右眼用画像が見るようになっている。ヘッドマウント装置２０としては、ＶＲゴーグルが利用されてもよい。ＶＲゴーグルは、臨場感溢れる立体的な映像や３６０度見渡せる映像などを視聴させるために利用される。
【００２２】
このヘッドマウント装置２０に対して、検査アプリを起動させたスマートフォン１０を組み込むことにより、右眼検査時には、図５に示すように、被検者の右眼に対してはヘッドマウント装置２０の右眼開口部２１Ｒを介して右画面１１Ｒに表示される検査動画Ｐが呈示される。このとき、被検者の左眼に対しては背景のみが表示される。一方、左眼検査時には、図６に示すように、被検者の左眼に対してヘッドマウント装置２０の左眼開口部２１Ｌを介して左画面１１Ｌに表示される検査動画Ｐが呈示される。このとき、被検者の右眼に対しては背景のみが表示される。このように、本実施形態の視機能検査システム１によれば、眼科において検査装置を用いて検査を受けるときに近い環境で検査を行うことができる。
【００２３】
このように本実施形態の視機能検査システム１は、専用の光学系を用いることなく、誰でも簡単に入手可能な市販品（汎用品）により構成されている。従って、本実施形態の視機能検査システム１によれば、眼科を受診することなく手軽に視機能検査を行うことができる。
【００２４】
また、本実施形態の視機能検査システム１では、被検者がスマートフォン１０を操作して視機能検査を行うことの他、図７に示すように、スマートフォン１０の通信機能を用いて、別のデバイス（図７ではノートパソコン３０）による遠隔操作にて検査を行うこともできるようになっている。
【００２５】
＜視機能の検査手順＞
上記の視機能検査システム１を用いて視機能検査を行う手順について、図８に示すフローチャートを参照しながら説明する。まず、スマートフォン１０を操作して検査アプリを起動させる（ステップＳ１）。このとき、スマートフォン１０は、ヘッドマウント装置２０に組み込まれていない状態である。検査アプリを起動させると、スマートフォン１０の画面１１に、図２に示す画面が表示される。
【００２６】
そして、この画面を操作して、まず、検査条件を設定する（ステップＳ２）。この検査条件の設定は、画面１１に表示される設定タブ１２を操作して行う。具体的には、検査モードや検査視標の種類、呈示時間、左右眼の呈示切替時間などを入力して検査条件を設定する。
【００２７】
設定が終了すると、画面１１に表示される検査開始タブ１４をクリックして検査を開始する（ステップＳ３）。そうすると、検査アプリにより、スマートフォン１０の画面１１に、検査方法の説明が表示され、被検者が検査方法を理解した後、検査動画Ｐが表示される。すなわち、画面１１が左画面１１Ｌと右画面１１Ｒとに２分割され、その２分割された左右画面１１Ｌ，１１Ｒの一方のみに検査動画Ｐが表示され、検査動画Ｐの表示が設定された時間間隔（例えば、十数秒）で左右画面１１Ｌ，１１Ｒで交互に切り替えられる。
【００２８】
この状態で、スマートフォン１０をヘッドマウント装置２０に組み込んで（ステップＳ４）、被検者がスマートフォン１０が組み込まれたヘッドマウント装置２０を頭部に装着する（ステップＳ５）。なお、このとき、被検者はヘッドマウント装置２０を頭部に装着せずに手で支持してもよい。そして、被検者は、ヘッドマウント装置２０を装着後、ヘッドマウント装置２０の調整機能により視度及び眼幅が最適になるように調整して（ステップＳ６）、視機能検査を実施する（ステップＳ７）。
【００２９】
すなわち、被検者は、左画面１１Ｌ又は右画面１１Ｒに呈示される固視標Ｍを凝視しながら、固視標Ｍとともに呈示されている検査動画Ｐを見る。このとき、検査動画Ｐは、被検者の右眼のみ、あるいは左眼のみに呈示される（図５あるいは図６参照）。そして、所定時間間隔で検査動画Ｐは、被検者の右眼と左眼に対して交互に呈示される。これにより、被検者は、左眼と右眼とを独立して検査することができる。また、被検者は、検査動画Ｐを一方の眼だけで見るため、他方の眼からの視覚情報による脳内での補完（充填）が生じない。従って、左眼と右眼について視機能の異常を精度良く検査することができる。
【００３０】
被検者は、検査において、左眼と右眼のそれぞれで、検査動画Ｐが呈示されているときに、検査動画Ｐの見え方を確認する。この確認を左眼と右眼のそれぞれについて数回行う。このとき、視機能が正常であれば、被検者は、検査動画Ｐの全体にランダムなノイズの動き（チラつき感）を感じる。一方、視機能に異常があれば、被検者は、検査動画Ｐの一部にランダムなノイズの動き（チラつき感）を感じることなく違和感を感じる（例えば、部分的に静止画に見える、画像が部分的に抜け落ちる、又はゆがんで見える等）。つまり、視機能に異常があれば、検査動画Ｐの見え方が異なる部分が生じる。このように検査動画Ｐの見え方に違和感を感じた場合に、視機能に異常がある可能性が高い。従って、本実施形態の視機能検査システム１によれば、被検者が検査動画Ｐの見え方によって自覚的に視覚機能の異常の有無を判別することができる。
【００３１】
その後、被検者は、自覚的に視覚機能の異常の有無を認識したら、つまり視機能検査が終了したら、ヘッドマウント装置２０を頭部から外す。次に、被検者は、ヘッドマウント装置２０からスマートフォン１０を取り外す。そして、被検者は、スマートフォン１０で作動中の検査アプリを終了させる。かくして、視機能検査システム１による視機能検査が終了する。
【００３２】
このように本実施形態の視機能検査システム１では、基本的に被検者が一人で検査を行うが、検者の指示に従って検査を行うこともできる。すなわち、視機能検査システム１では、スマートフォン１０の通信機能を用いて、検者側に存在する別のデバイスによる遠隔操作にて視機能検査を行うことできる。別のデバイスとしては、例えば、図７に示すように、ノートパソコン３０等を使用することができる。そして、ノートパソコン３０のディスプレイ３１に、スマートフォン１０の画面１１が共有（表示）される。これにより、検者から被検者に対して、画面１１上に指示を書き込んだり、音声で指示すること等により、視機能検査をより適切に行うことができる。
【００３３】
従って、眼科医等の検者に、これから行う検査について詳細な説明がなされてから検査が行われるため、被検者は、検査動画Ｐの見え方の異なる部分が生じているか否かを的確に判断することができる。このように本実施形態の視機能検査システム１を使用して、検者が遠隔操作で検査を行うことにより、視機能の異常の有無を短時間で精度良く調べることができる。そのため、被検者が自分で視機能の検査を行う場合に比べて精度良く検査を行うことができる。これにより、眼疾患の早期発見を促進することができる。
【００３４】
以上、説明したように、本実施形態の視機能検査システム１は、普及しているスマートフォン１０とヘッドマウント装置２０、及びスマートフォン１０にダウンロードされた検査アプリで構成されている。そして、検査アプリにより、スマートフォン１０の画面１１を２分割し、その２分割した左右画面１１Ｌ，１１Ｒの一方のみにランダムノイズの連続挿画である検査動画Ｐを表示させるとともに、検査動画Ｐを表示させる画面を左画面１１Ｌと右画面１１Ｒとに所定時間間隔で交互に切り替える。これにより、被検者は、検査アプリをダウンロードしたスマートフォン１０を組み込んだヘッドマウント装置２０を装着することにより、視機能検査システム１による視覚異常の有無を簡便に判別することができる。従って、眼疾患の早期発見を促進することができる。
【００３５】
なお、上記した実施形態は単なる例示にすぎず、本開示を何ら限定するものではなく、その要旨を逸脱しない範囲内で種々の改良、変形が可能であることはもちろんである。上記の実施形態では、汎用デバイスとしてスマートフォンを使用する場合を例示したが、汎用デバイスはスマートフォンに限られることはなく、例えば、ヘッドマウント装置に組み込み可能な小型のタブレット端末、音楽プレーヤー、ゲーム機、電子ブックリーダー等を使用することもできる。また、別のデバイスとしてノートパソコンを例示したが、ノートパソコンに限られることはなく、デスクトップパソコンやタブレットＰＣ等を使用することもできる。
【符号の説明】
【００３６】
１    視機能検査システム
１０  スマートフォン
１１  画面
１１Ｌ  左画面
１１Ｒ  右側面
２０  ヘッドマウント装置
３０  ノートパソコン
３１  ディスプレイ
Ｐ    検査動画
Ｍ    固視標
【図１】
2020195692.tif 000003
【図２】
2020195692.tif 000004
【図３】
2020195692.tif 000005
【図４】
2020195692.tif 000006
【図５】
2020195692.tif 000007
【図６】
2020195692.tif 000008
【図７】
2020195692.tif 000009
【図８】
2020195692.tif 000010